(57)【特許請求の範囲】
【請求項１】
日付表示ランナと、年カムと、この年カムを駆動するための手段と、修正機構とを具備する、時計作動機構用年間日付機構であって、前記日付表示ランナが、前記時計作動機構の歯車列と運動学的に接続されている駆動ランナと一日一回係合する三十一の位置をもっていて、前記年カムの輪郭が、三十一日の月を他の月から区別するように形作られており、前記年カムを駆動するための手段が、一年に一回転だけ年カムを駆動し、前記修正機構が、３１日未満の各々の月の終わりに前記日付表示ランナを追加的な一つの位置だけ進ませるために前記年カムに接続されている、前記時計作動機構用年間日付機構において、前記修正機構が、前記日付表示ランナと運動学的に接続されている修正カムと、一方では前記修正カムと係合していて他方では前記年カムと係合している修正ロッカと、前記修正ロッカを前記年カム及び前記修正カムに押し付けるためのばねとを具備していて、前記ばねを撓ませる部分であり且つ前記日付表示ランナを“３１”と“１”との間で一ステップだけ前記ばねの圧力を受けて移動させるような形に作られた箇所が後に続いている部分を前記修正カムが具備している、時計作動機構用年間日付機構。
【請求項２】
前記修正カムが、環状形のものであり、前記日付表示ランナと同軸で、前記日付表示ランナに固定されており、そして前記年カムを駆動するためのランナを一ステップだけ駆動するために前記ランナと前記日付表示ランナの各々の回転において係合するように意図された突起をもっているところの、請求項１に記載の年間日付機構。
【請求項３】
前記年カムが、円形であり、そして３１日月のための径が他の月のための径より大きい二つの異なったそれぞれの径を持っている十二の扇形に等分され、それ故３１日未満の月に対応するより小さな径の五つの凹部を形作られており、前記修正カムが前記ばねの圧力に対して前記修正ロッカを自由にするとき、前記凹部が、前記ばねの圧力を受けた前記修正ロッカに固定されたフィンガにより入り込まれることが可能であり、そしてこの年カムが、駆動歯車と同軸であり、スプリングと相対角変位制限手段とが、前記年カムを前記駆動歯車に接続しているところの、請求項１に記載の年間日付機構。
【請求項４】
前記ばねが二本の腕をもっており、一方が前記修正ロッカを押していて他方が前記時計作動機構の巻上設定機構の引抜式時刻日付設定レバーを押しており、その結果前記引抜式時刻日付設定レバーが時刻設定または日付設定位置に移動させられたとき、同時に前記引抜式時刻日付設定レバーが前記ばねを弛緩させるところの、請求項１に記載の年間日付機構。
【請求項５】
前記駆動ランナが瞬間移動の機構によって前記日付表示ランナの歯群に接続されており、前記瞬間移動の機構が、前記駆動ランナと同軸の瞬間移動カムに固定された駆動フィンガを具備し、そして前記駆動フィンガの一ステップに等しい角度の自由度を前記駆動ランナに対してもっており、その結果前記瞬間移動の直後に、前記駆動フィンガが、日付表示ランナの歯群と係合した状態のままであり、そして前記日付表示ランナのどのような追加的な動きも防ぐのに十分な長さの時間、前記駆動ランナによってこの歯群の中に保持されるところの、請求項１に記載の年間日付機構。
【請求項６】
前記日付表示ランナが、環状形であり、そして二つのローラを介して回動するように取り付けられていて、前記日付表示ランナの縁が、この日付表示ランナの位置決めジャンパによって作用されている圧力によって前記二つのローラに接して保持されており、前記日付表示ランナを一ステップだけ移動させるような形に作られた前記箇所と、前記修正ロッカとが係合するとき、前記位置決めジャンパによってこの日付表示ランナに加えられた力の、前記ローラの一方に関するモーメントが、前記修正ロッカによって生じた力のモーメントよりかなり小さくそして前記修正ロッカによって生じた力のモーメントに対して反対方向に偶力を生み出して、そのため前記修正ロッカにより生じた前記偶力が回りで作用している前記ローラの一方に対して前記修正ロッカが前記日付表示ランナを揺動させ、更に、この日付表示ランナが前記修正ロッカによって駆動されるときに前記日付表示ランナの歯群を前記駆動フィンガから分離させるために、前記駆動フィンガが、この前記ローラの一方と、前記日付表示ランナを一ステップだけ移動させるような形に作られた前記箇所に係合している前記修正ロッカの端部との間に配置されるところの、請求項５に記載の年間日付機構。
【発明の詳細な説明】
【０００１】
【発明の属する技術分野】
本発明は、日付表示ランナと、年カムと、この年カムを駆動するための手段と、修正機構とを具備する、時計作動機構用年間日付機構に関するものであり、前記日付表示ランナは、前記時計作動機構の歯車列と運動学的に接続されている駆動ランナと一日一回係合する三十一の位置をもっていて、前記年カムの輪郭は、三十一日の月を他の月から区別するように形作られており、前記年カムを駆動するための手段は、一年に一回転だけ年カムを駆動し、前記修正機構は、３１日未満の各々の月の終わりに前記日付表示ランナを追加的な一つの位置だけ進ませるために前記年カムに接続されている。
【０００２】
【従来の技術】
単純日付機構と永久的若しくは半永久的日付機構とを折衷したものであるこのタイプの日付機構は、従来から提案されてきており、前記永久的若しくは半永久的日付機構は、かなり多くの部品数で作られていて、面と高さに関する両方のスペースを非常に多く占める比較的複雑でそれ故手の込んだ機構を含んでいる。単純日付機構は、一年に五回、三十一日未満の月の終わりに日付をリセットすることを必要とするものである。年間日付機構は、二月の終わりにただ一回の修正を必要とするものである。
【０００３】
このタイプの日付機構の中では、特許文献１、特許文献２、特許文献３、特許文献４、特許文献５、特許文献６に言及がなされてよい。これら全ての機構は緩行式日付変化であり、更に“３０”と“１”との間の推移は二相の飛び越しを介して生じるので、３１日未満の月の終わりに“３１”を“３０”と“１”との間にかなりの時間出現させる。更に上述の機構のいくつかは比較的複雑である。瞬間移動の日付機構も知られているが、しかしそれらは単純日付機構である。
【０００４】
【特許文献１】
スイス国特許第５８３９３２号（CH 583 932）
【特許文献２】
スイス国特許第６８４８１５号（CH 684 815）
【特許文献３】
スイス国特許第６８５５８５号（CH 685 585）
【特許文献４】
欧州特許第７５６２１７号（EP 756 217）
【特許文献５】
スイス国特許第５８１３４１号（CH 581 341）
【特許文献６】
欧州特許第９８７６０９号（EP 987 609）
【０００５】
【発明が解決しようとする課題】
本発明の目的は、できるだけ少ない追加部品の追加による解決法を使用した、それ故信頼性のある動作と小さな体積とが保証された、好ましくは瞬間的な、簡素な年間日付機構を提供することである。
【０００６】
【課題を解決するための手段】
このために、本発明の主題は、請求項１に既定されるような、前述のタイプの日付機構である。
【０００７】
この機構の主な長所は、その簡素なこととその有効性とその信頼性とにある。この機構が、瞬間移動機構と結び付けられてもよいこと、及び３１日未満の月の終わりにやはり瞬間的な方法で自動的修正を可能とすることが、有利なことである。
【０００８】
詳細な特徴及び特有な利点は、以下に続く説明と、本発明の主題である日付機構の実施例の一形態及び代替の形態を概略的に且つ一例として図示している添付図面とにより明らかになるであろう。
【０００９】
【発明の実施の形態】
図１から５に示された日付機構は、１から３１の日付をもっている環状ランナ（日付表示ランナ）１を具備している。この環状ランナ１は、より一般的には日付ディスクとして知られており、通例の内歯群１ｂを持っておりそして環状の修正カム１ａに固定されている。
【００１０】
歯群１ｂは、一方で位置決めジャンパ２と係合し（図６）、他方で駆動歯車（駆動ランナ）５に同軸な瞬間移動カム４に固定されている駆動フィンガ３と係合する。駆動歯車５に確保された円弧形開口５ａと、瞬間移動カム４に固定されたピン４ａとは、この瞬間移動カムを駆動歯車に止めるのに役立つだけでなく、その目的が後で説明されることとなるいくらかの角度の遊隙も許容している。日付の瞬間的な変化のためのロッカ６のローラ６ａは、ばね７によって瞬間移動カム４の外周に押し付けられている。
【００１１】
この実施例では、日付ディスク１と同時に、第二フィンガ３ａが七分岐の曜日星形車１７を一日一回駆動するように使われることが意図されている。しかしながら、本発明はこの曜日星形車１７の存在に制限されず、本発明による機構は日付だけを指し示すことができる。
【００１２】
今説明された機構は、瞬間単純日付機構のものである。われわれはここで、単純日付機構から年間日付機構へ転換させることが可能な、一方で同時に少なくとも本質的には、つまり月の１日から３０日まで、瞬間性を残している、機構のその部分について説明するつもりである。日付ディスクは、あらかじめ言及したように環状の修正カム１ａに固定されており、ローラ８ａを備える修正ロッカ８が、ばね９によって環状の前記修正カム１ａに押し付けられる。この環状の修正カム１ａは、修正ロッカのばね９を撓ませるように使うことが意図された長い円弧状ランプ１ａ’を具備している。この円弧状ランプ１ａ’は、ほとんど３４８度（３０／３１）の角度に亘って延在していて、日付ディスクの回転中心から徐々に広がって凹湾曲部１ａ*で終わっており、前記凹湾曲部１ａ*は、長い円弧状ランプの終端部を開始部に接続しており、そしてほとんど１２度に亘って延在している。この凹湾曲部１ａ*は、ばね９によって押されているロッカ８がばね９に蓄積されたエネルギを使って日付ディスクを一ステップだけ進ませることを可能にする。円弧状ランプ１ａ’の二つの端部を接続している凹湾曲部１ａ*の形は、自動修正機構の動作に対して必須ではなく、単純な直線傾斜路に置き換え可能であることが、ここで留意されるべきである。
【００１３】
凹湾曲部１ａ*と、円弧状ランプ１ａ’の開始点との接合点に向き合って、修正カム１ａの内縁が、歯、指、もしくは突起１０をもっており、前記突起１０は、日付ディスク１の各々の回転中に、ばね１３によって押されている位置決めジャンパ１２と係合している修正星形車（ランナ）１１と係合するように意図されている。
【００１４】
この修正星形車１１は、中間歯車（駆動歯車）１５と噛み合っている中間歯車１４に固定されており、前記中間歯車１５はそれ自身が、曜日星形車１７に同軸な月表示ランナ１６と係合している。円弧状の年カム１８は中間歯車１５と同軸である。円弧状の年カム１８は、中間歯車１５に属する円弧形開口１５ａと係合しているピン１８ａをもっている。スプリング１９は、その一方の端部が中間歯車１５に固定されていてもう一方の端部が円弧状の年カム１８に固定されており、そしてピン１８ａを開口１５ａの左端に接するように保持するのに役立っている。円弧状の年カム１８は十二の扇形に角度を等分され、各々の扇形は一年の一ヶ月に対応する。３１日の月は年カム１８の大径部１８’に対応しているのに対して３０日以下の五つの月は小径部１８*に対応しており、それゆえ五個所の凹部が年カム１８の大径部１８’に形作られている。
【００１５】
修正ロッカ８は、ここで説明されるように各月の終わりに年カム１８と協働することが意図されたフィンガ８ｂをもっている。８月３０日に対応している図１で見ることができるように、修正ロッカ８のローラ８ａはカム１ａの円弧状ランプ１ａ’の終端部近くに到達する。修正ロッカ８のフィンガ８ｂは年カム１８の大径部１８’に向き合う。３０日から３１日に進行するのと同時に（図２）、修正ロッカ８のローラ８ａが修正カム１ａの円弧状ランプ１ａ’の終端部を通り過ぎるが、フィンガ８ｂに向き合って在る年カム１８の大径部１８’が、ロッカ８が修正カム１ａの凹湾曲部１ａ*に沿って下り降りることを防ぐ。結果として、図３で見られるように瞬間移動カム４に固定された駆動フィンガ３の助けを受けて、８月３１日から９月１日への進行が普通に生ずる。
【００１６】
３１日から翌月の１日へのこの転換の間に、修正ロッカ８のローラ８ａは、修正カム１ａの円弧状ランプ１ａ’の終端部から開始部へ移動する。同時に、この修正カム１ａの突起１０が修正星形車１１を一ステップだけ進ませる。中間歯車１４が修正星形車１１に固定されているということを考えると、中間歯車１５と月表示ランナ１６とが修正星形車１１と同時に駆動される。この回転は、修正ロッカ８のフィンガ８ｂを、３１日未満の月でありこの場合は９月に対応する、年カム１８の二つの大径部１８’の間に挿入することを可能にする。各々の日が変化する際に、フィンガ３ａが曜日星形車１７を回転させる。
【００１７】
図４及び５は９月３０日から１０月１日への推移を示している。図４では、修正ロッカ８と修正カム１ａとが図１と同一の位置を占めているが、二つの大径部１８’の間に設けられた凹部が修正ロッカのフィンガ８ｂと向き合って在るように、年カム１８が配置されている。その結果、日付ディスク１が次に駆動されるとき、９月３０日の深夜に、駆動フィンガ３が日付ディスクを一ステップだけ普通に移動させ、その結果修正ロッカのローラ８ａを図２に示された位置に持ち込むが、修正ロッカ８のフィンガ８ｂが年カム１８の小径部１８*と向き合って在るということを考えると、ばね９がこの修正ロッカ８を押してそのフィンガ８ｂを年カム１８の凹部に押し入れ、その結果ばね９の圧力を受けて生じるこの揺動の間、ローラ８ａが修正カム１ａの凹湾曲部１ａ*に沿って滑動し、そのことが日付ディスク１を第二のステップまで移動させて日付ディスクに１０月１日を表示させる。
【００１８】
日付ディスク１の第一のステップの直後に続くこの第二のステップの間に、修正星形車１１が一ステップだけ動かされ、同時に中間歯車１４、中間歯車１５、及び月ランナ１６も動かされる。修正ロッカ８のフィンガ８ｂが年カム１８の凹部に係合していることを考えると、年カム１８は回転することができない。このことが、年カム１８が静止したままの状態である理由であり、中間歯車１５に形作られた円弧形開口１５ａが、この中間歯車１５と年カム１８との間で相対角運動を可能にする理由である。翌月中に、修正ロッカ８は修正カム１ａの円弧状ランプ１ａ’によって徐々に持ち上げられる。このロッカのフィンガ８ｂが年カム１８の凹部から完全に離れるとすぐに、スプリング１９が、年カム１８のピン１８ａを中間歯車１５に属する円弧形開口１５ａのもう一方の端部に接するように戻し、その結果修正ロッカ８のフィンガ８ｂの先端がそのとき後退して年カム１８の大径部１８’と向き合い、８月３０日から３１日への推移について本明細書で上に説明したように、フィンガ８ｂを１０月３１日に作動しないようにセットする。
【００１９】
本明細書で上に説明された例では、３１日から翌月の１日への日付ディスクの推移の間に、修正ロッカ８のフィンガ８ｂは、年カム１８の凹部１８*の中に落ちる。ばね９によって加えられている修正ロッカ８の圧力にもよるが、修正ロッカ８のフィンガ８ｂと年カムの大径部１８’との間の摩擦が、スプリング１９によって生じる偶力より大きく、このことは、中間歯車１５が、突起１０、修正星形車１１、及び中間歯車１４によって駆動される間に、フィンガ８ｂが、年カム１８の凹部１８*へまっすぐに落ちるかわりに、年カム１８の大径部１８’に残り、従ってスプリング１９が撓められることを意味する。翌月の過程の間に、修正カム１ａのランプ１ａ’が修正ロッカ８を十分に上げるやいなや、年カム１８が、スプリング１９の撓み解放により左回りに一ステップ分の角度を動かされ、その結果修正ロッカ８のフィンガ８ｂがそのとき、３１日未満の月に対応する、年カム１８の凹部１８*に落下する。
【００２０】
上述された瞬間日付機構の実施例では、日付機構のための駆動歯車５に作られた開口５ａが、瞬間移動カム４のピン４ａと係合して、日付ディスク１の瞬間移動が可能となるように、時計の表示器歯車列と運動学的接続にある駆動歯車５と、瞬間移動カム４との間の一ステップの相対角変位を可能とする。この日付ディスクの瞬間的移動の後、瞬間移動カム４に固定されている駆動フィンガ３は歯群１ｂの二つの歯の間に見出され、そしてカム４のピン４ａが前記瞬間的移動中に駆動歯車５に属する円弧形開口５ａの他方の端まで移動させられるので、日付ディスク１が二以上のステップで移動できないことが保証され、それゆえ駆動フィンガ３は固定部材として機能する。
【００２１】
年間日付機構はこのバージョンにおいて瞬間的なものであるが、しかし３０日月の場合における３０日から１日への推移は二つの段階で生じ、駆動歯車が、進行して駆動フィンガ３を日付ディスク１の歯群１ｂから離れさせるまで、３１がいくらかの時間表示される。
【００２２】
図６は、３０日から１日へのこの二段階の推移を避けること可能にする別の形態を示している。このために、日付ディスク１は、それが三つの案内ローラ２０ａ、２０ｂ、２０ｃに接して回動されるように取り付けられていて、前記案内ローラ２０ａ、２０ｂ、２０ｃは、カレンダー機構を載せている取付けプレートＰの上に回動できるように取り付けられおり、日付ディスク１の位置決めジャンパ２の端部の両側面において、前記端部の両側面が日付ディスク１の歯群１ｂと接触しており、その結果、ジャンパ２と一体に形作られた可撓性アームから形作られたばね２ａによって押されるこのジャンパ２が、この日付ディスク１をこれら案内ローラ２０に押し付け、前記案内ローラが、この日付ディスク１の中心と一致する仮想軸の周りで日付ディスク１を案内する。矢印Ｆ1が、ジャンパ２の圧力に起因する日付ディスク１の歯群１ｂの一つに作用する力の、案内ローラ２０ａに関するモーメントを示すために使われている。矢印Ｆ2が、ばね９により押される修正ロッカ８から生じて修正カム１ａの凹湾曲部１ａ*に対して作用する力の、この同一の案内ローラ２０ａに関するモーメントを同様に示すために使われている。力Ｆ2のモーメントの腕は、力Ｆ1のモーメントの腕よりかなり長く、そして力Ｆ2のモーメントが、力Ｆ1のモーメントの方向と反対の方向により大きな偶力を発生させており、このことは、日付ディスク１を図６の鎖線で示すようにローラ２０ａに対して揺動させることが可能なことを意味している。
【００２３】
日付ディスク１の縁からいくらかの距離を離して設けられた第四ローラ２０ｄが、日付ディスク１の揺動を限定する障害物として働く。３０日から１日への推移の間の３０日から３１日への瞬間的移動の後、この揺動は、日付ディスク１の内歯群１ｂが駆動フィンガ３から離れることを可能とし、その結果日付ディスクのこの二段階移動がそのとき瞬間的なものになり、一方同時に別の場合には二日の瞬間移動を防ぐことが意図された固定が維持される。
【００２４】
修正ロッカを修正カム１ａと年カム１８とに押し付けているばね９が二本腕のばねであり、その一方の腕が修正ロッカ８を押しているのに対して、他方が、巻上設定機構の引抜式時刻日付設定レバー２１を押していることが、図５から更に分かるはずである。この引抜式設定レバー２１は、通常図５の鎖線で示された位置にあり、この位置において巻上棒２２が、時計の機構部分の中心の方に押される軸姿勢をとっている。この引抜式設定レバーが、引き抜かれて、時間及び日付設定位置に該当する、図５の連続線で描かれる位置にもって来られたとき、引抜式設定レバーを押しているばね９の腕が、修正ロッカ８を押しているこの同じばね９の腕に対してかなりの角度動き、この修正ロッカ８に対するばねの圧力をかなり減少させ、日付修正と時間設定との操作の間に、日付ディスク１の修正カム１ａへのロッカ８の圧力を減少させることにより、前記操作を容易にして信頼性を向上させる。
【００２５】
前述の説明を読んで分かるように、本発明による年カレンダー機構は、修正カム１ａ、及び修正ロッカ８、及び修正カム１ａの働きを取り消したり取り消さなかったりすることがある年カム１８、及びこの年カム１８のための修正星形車１１だけを含んで成るので非常に単純である。この単純さが、修正ロッカ８以外は歯車構成部品から成る全ての構成部品と、３１日未満の月の終わりに追加のステップをもたらすことが必要とされそしてこの修正を瞬間的にする機構の信頼性を保証する。
【００２６】
この機構は、面若しくは高さの点では非常に小さなスペースを占める。瞬間移動機構に結び付けられた年間日付機構が説明されてきたが、この発明は明らかに、半瞬間移動もしくは遅行式日付変化を使った他の日付機構に適用されることが可能である。同様に、理解されるはずであるが、この発明は、日付と曜日と月とを示すカレンダーに、及び日付だけに、若しくは日付と曜日とを示すカレンダーにも適用される。
【図面の簡単な説明】
【図１】図１は、８月３０日に対応する第一位置における、この機構の平面図である。
【図２】図２は、この機構が８月３１日に占める位置における、この機構の平面図である。
【図３】図３は、この機構が９月１日に占める位置における、この機構の平面図である。
【図４】図４は、この機構が９月３０日に占める位置における、この機構の平面図である。
【図５】図５は、この機構が１０月１日に占める位置における、この機構の平面図であり、同時にこの図は、日付の手動修正のための位置における機構を示してもいる。
【図６】図６は、日付ディスクの案内の別形の平面図である。
【符号の説明】
１…日付表示ランナ
１ａ…修正カム
１ｂ…歯群
３…駆動フィンガ
８…修正ロッカ
９…ばね
１８…年カム
【図１】
0004246508.tif 000002
【図２】
0004246508.tif 000003
【図３】
0004246508.tif 000004
【図４】
0004246508.tif 000005
【図５】
0004246508.tif 000006
【図６】
0004246508.tif 000007